Podtech/llm-jp-corpus-v4-ja_patent huggingface dataset:
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
相互に直交する方向に沿って延びているインディシア全体に亘る走査においてレーザビームを掃引することによって、該インディシアを電気光学的に読み取るためのシステムにおける光学アセンブリであって、
付随する所望されないレーザ強度変調とともに該インディシアが読み取られる作動範囲を拡張するための非対称的な光学素子であって、該素子は、光学軸と、該レーザービームを該光学軸に沿った複数の焦点に合わせるための一対のレンズ表面とを有し、該レンズ表面は、該光学軸と交差する線であって、該方向のうちの一つに沿って延びている長さの寸法を有する線に沿って接触し、該素子は、該方向のうちのもう一つに沿って延びている幅の寸法であって、該長さの寸法とは独立な寸法を有している、非対称的な光学素子と、
該作動範囲の付随した低減とともに、該所望されないレーザ強度変調を低減させるための開口絞りであって、該開口絞りは、光学開口部と、該インディシアが延びている該方向の両方に沿って可変の寸法を有する該光学開口部を形成する境界に沿って該光学開口部を境界付ける支持部とを含み、該光学開口部は、該境界に沿って間隔をおかれた複数の光通過領域を有し、該支持部は、該境界に沿って、該複数の光通過領域間に光遮断領域を有する、開口絞りと
を備える、アセンブリ。
【請求項２】
前記素子および前記開口絞りは、ワンピース構造である、請求項１に記載のアセンブリ。
【請求項３】
前記素子の前記レンズ表面の各々は、平面である、請求項１に記載のアセンブリ。
【請求項４】
前記素子は、非対称の断面を有するように前記レーザビームを光学的に改変するための円筒形の入射表面を有する、請求項１に記載のアセンブリ。
【請求項５】
前記支持部は、前記境界に沿って連続的に配置された複数の光遮断領域を有し、各光遮断領域は、光通過領域の対の間に配置されている、請求項１に記載のアセンブリ。
【請求項６】
視野全体に亘り、相互に直交する方向に沿って延びているインディシアから拡散されたレーザ光をイメージングすることによって、該インディシアを電気光学的に読み取るためのシステムにおける光学アセンブリであって、
付随する所望されないレーザ強度変調とともに該インディシアが読み取られる焦点深度を拡張するための非対称的な光学素子であって、該素子は、光学軸と、該光学軸に沿った複数のイメージポイントから該レーザ光をイメージングするための一対のレンズ表面とを有し、該レンズ表面は、該光学軸と交差する線であって、該方向のうちの一つに沿って延びている長さの寸法を有する線に沿って接触し、該素子は、該方向のうちのもう一つに沿って延びている幅の寸法であって、該長さの方向とは独立な寸法を有している、非対称的な光学素子と、
該焦点深度の付随した低減とともに、該所望されないレーザ強度変調を低減させるための開口絞りであって、該開口絞りは、光学開口部と、該インディシアが延びている該方向の両方に沿って可変の寸法を有する該光学開口部を形成する境界に沿って該光学開口部を境界付ける支持部とを含み、該光学開口部は、該境界に沿って間隔をおかれた複数の光通過領域を有し、該支持部は、該境界に沿って、該複数の光通過領域間における光遮断領域を有する、開口絞りと
を備える、アセンブリ。
【請求項７】
前記素子および前記開口絞りは、ワンピース構造である、請求項６に記載のアセンブリ。
【請求項８】
前記素子の前記レンズ表面の各々は、平面である、請求項６に記載のアセンブリ。
【請求項９】
前記支持部は、前記境界に沿って連続的に配置された複数の光遮断領域を有し、各光遮断領域は、光通過領域の対の間に配置されている、請求項６に記載のアセンブリ。
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
ある市場のある商品に対する第１オファーを第１オファー価格により第１マーケットメーカーから受け付けるステップと、
前記同一の市場の同一の商品に対する第１ビッドを前記第１オファー価格以上の第１ビッド価格により第２マーケットメーカーから受け付けるステップと、
前記第１ビッド価格が前記第１オファー価格以上となる結果として、前記第１ビッド価格より高い価格に前記第１オファー価格を自動的に引き上げるステップと、
を有する方法。
【請求項２】
前記第１オファー価格を前記第１ビッド価格より高い価格に引き上げる結果として、前記第１オファーと前記第１ビッドとの間の取引を実行しないステップをさらに有する、請求項１記載の方法。
【請求項３】
前記第１ビッド価格より高い価格に前記第１オファー価格を自動的に引き上げるステップは、引き上げられる第１オファー価格が引き下げられる第１ビッド価格より高くなるように、自動的に前記第１オファー価格を引き上げ、前記第１ビッド価格を引き下げるステップを有する、請求項１記載の方法。
【請求項４】
前記第１ビッド価格にマッチするよう前記引き上げられた第１オファー価格を引き下げる命令を前記第１マーケットメーカーから受け付けるステップと、
前記第１ビッド価格により前記第１オファーと前記第１ビッドとの間の取引を実行するステップと、
をさらに有する、請求項１記載の方法。
【請求項５】
前記商品に対する第２ビッドを、前記引き上げられた第１オファー価格以上の第２ビッド価格により第３マーケットメーカーから受け付けるステップと、
前記第２ビッド価格が前記引き上げられた第１オファー価格以上となった結果として、前記引き上げられた第１オファー価格を前記第２ビッド価格より高い価格に自動的に引き上げるステップと、
をさらに有する、請求項１記載の方法。
【請求項６】
前記第２マーケットメーカーから前記第１ビッドを受け付ける前に、前記同一の市場の同一の商品に対する第２ビッドを、前記第１オファー価格以上の第２ビッド価格により顧客から受け付けるステップと、
前記第２ビッド価格が前記引き上げられた第１ビッド価格以上となった結果として、前記第１オファーの第２部分が残るように、前記第１オファーの第１部分と前記第２ビッドとの間の取引を前記第１オファー価格により自動的に実行するステップと、
をさらに有し、
前記第１ビッド価格より高い価格に前記第１オファー価格を自動的に引き上げるステップは、前記第１オファーの第２部分の第１オファー価格を前記第１ビッド価格より高い価格に自動的に引き上げるステップを有する、請求項１記載の方法。
【請求項７】
ある市場のある商品に対する第１オファーを第１オファー価格により第１マーケットメーカーから受け付けるステップと、
前記同一の市場の同一の商品に対する第２オファーを、既存の何れかのビッドにもクロスもマッチもしない第２オファー価格により顧客から受け付けるステップと、
前記同一の市場の同一の商品に対する第１ビッドを、前記第１オファー価格と前記第２オファー価格のそれぞれ以上の第１ビッド価格により第２マーケットメーカーから受け付けるステップと、
前記第１ビッド価格が前記第１オファー価格以上となった結果として、前記第１オファー価格を前記第１ビッド価格より高い価格に自動的に引き上げるステップと、
前記第２オファーと前記第１ビッドとの間の取引を実行するステップと、
を有する方法。
【請求項８】
前記第２オファーと前記第１ビッドとの間の取引を実行するステップは、前記第１ビッドの第１部分と前記第２オファーとの間の取引を実行するステップを有する、請求項７記載の方法。
【請求項９】
ある市場の数値反転された商品からなる商品に対する第１オファーを、第１オファー価格により第１マーケットメーカーから受け付けるステップと、
前記同一の市場の同一の商品に対する第１ビッドを、数値的に前記第１オファー価格以下の第１ビッド価格により第２マーケットメーカーから受け付けるステップと、
前記第１ビッド価格が数値的に前記第１オファー価格以下となった結果として、前記第１オファー価格を数値的に前記第１ビッド価格より低い価格により自動的に引き下げるステップと、
を有する方法。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
多孔性管状移植片部材、及び
前記管状移植片部材の上に配置され、生理活性薬剤を組み込んでいる可撓性ｅＰＴＦＥ鞘、
を含む、複合血管移植片。
【請求項２】
ｅＰＴＦＥ鞘が、弾性である請求項１に記載の複合血管移植片。
【請求項３】
ｅＰＴＦＥ鞘が、押し出し成形管である請求項１に記載の複合血管移植片。
【請求項４】
ｅＰＴＦＥ鞘が、押し出し成形鞘である請求項１に記載の複合血管移植片。
【請求項５】
ｅＰＴＦＥ鞘が、生理活性薬剤と共に押し出し成形される請求項１に記載の複合血管移植片。
【請求項６】
多孔性管状移植片部材が、ｅＰＴＦＥ材料を含む請求項１に記載の複合血管移植片。
【請求項７】
多孔性管状移植片部材が、織物材料を含む請求項１に記載の複合血管移植片。
【請求項８】
生理活性薬剤が、抗菌剤である請求項１に記載の複合血管移植片。
【請求項９】
抗菌剤が、抗生物質製剤である請求項８に記載の複合血管移植片。
【請求項１０】
抗生物質製剤が、シプロフロキサシン、バンコマイシン、ミノサイクリン、リファンピン、及びそれらの組合せから成る群から選択される請求項９に記載の複合血管移植片。
【請求項１１】
抗菌剤が、消毒剤である請求項８に記載の複合血管移植片。
【請求項１２】
消毒剤が、銀、クロルヘキシジン、トリクロサン、ヨード、塩化ベンザルコニウム、及びそれらの組合せから成る群から選択される請求項１１に記載の複合血管移植片。
【手続補正２】
【補正対象書類名】明細書
【補正対象項目名】００３５
【補正方法】変更
【補正の内容】
【００３５】
本発明の複合装置に付随することによって調節された特異的な送達を達成する生理活性薬剤は、銀抗菌剤、金属抗菌材料、増殖因子、抗凝血剤物質、狭窄阻害剤、抗血栓性薬剤、抗生物質製剤、抗腫瘍剤、抗増殖性薬剤、成長ホルモン、抗ウイルス剤、抗血管形成性薬剤、血管形成性薬剤、抗有糸分裂剤、抗炎症剤、細胞周期調節剤、遺伝子薬剤、コレステロール低化剤、血管拡張剤、内因性血管作用機構に干渉する薬剤、ホルモン、その相同体、誘導体、断片、薬学的塩、及びそれらの組合せから選択することができる。
本発明をいくつかの例と共に好ましい実施形態に関して説明したが、特許請求の範囲に規定された本発明の精神及び範囲から逸脱することなく様々な変更を行うことができることは当業者には理解されるであろう。
本発明の好ましい実施態様は以下の通りである。
１：多孔性管状移植片部材、及び前記管状移植片部材の上に配置され、生理活性薬剤を組み込んでいる可撓性ｅＰＴＦＥ鞘、を含む、複合血管移植片。
２：ｅＰＴＦＥ鞘が、弾性である上記複合血管移植片。
３：ｅＰＴＦＥ鞘が、押し出し成形管である上記複合血管移植片。
４：ｅＰＴＦＥ鞘が、押し出し成形鞘である上記複合血管移植片。
５：ｅＰＴＦＥ鞘が、生理活性薬剤と共に押し出し成形される上記複合血管移植片。
６：多孔性管状移植片部材が、ｅＰＴＦＥ材料を含む上記複合血管移植片。
７：多孔性管状移植片部材が、織物材料を含む上記複合血管移植片。
８：生理活性薬剤が、抗菌剤である上記複合血管移植片。
９：抗菌剤が、抗生物質製剤である上記複合血管移植片。
１０：抗生物質製剤が、シプロフロキサシン、バンコマイシン、ミノサイクリン、リファンピン、及びそれらの組合せから成る群から選択される上記複合血管移植片。
１１：抗菌剤が、消毒剤である上記複合血管移植片。
１２：消毒剤が、銀、クロルヘキシジン、トリクロサン、ヨード、塩化ベンザルコニウム、及びそれらの組合せから成る群から選択される上記複合血管移植片。
１３：複合血管移植片を形成する方法であって、多孔性管状移植片部材を準備する工程、及び生理活性薬剤を組み込んだ可撓性ｅＰＴＦＥ鞘で前記多孔性管状移植片部材を覆う工程、を含む前記方法。
１４：覆う工程が、ｅＰＴＦＥ鞘を管状構造物に押し出し成形する工程、及び可撓性ｅＰＴＦＥ鞘を多孔性管状移植片部材の上に置く工程、を含む、上記方法。
１５：押し出し成形する工程が、管状構造物と共に生理活性薬剤を押し出し成形すること、を含む、上記方法。
１６：覆う工程が、ｅＰＴＦＥ鞘をシート構造物に押し出し成形する工程、及び前記ｅＰＴＦＥ鞘を多孔性管状移植片部材の周りに巻き付ける工程、を含む、上記方法。
１７：押し出し成形する工程が、ｅＰＴＦＥ鞘構造物と共に生理活性薬剤を押し出し成形すること、を含む、上記方法。
１８：多孔性管状移植片部材が、ｅＰＴＦＥ材料を含む上記方法。
１９：多孔性管状移植片部材が、織物材料を含む上記方法。
２０：生理活性薬剤が、抗菌剤である上記方法。
２１：抗菌剤が、抗生物質製剤である上記方法。
２２：抗生物質製剤が、シプロフロキサシン、バンコマイシン、ミノサイクリン、リファンピン、及びそれらの組合せから成る群から選択される上記方法。
２３：抗菌剤が、消毒剤である上記方法。
２４：消毒剤が、銀、クロルヘキシジン、トリクロサン、ヨード、塩化ベンザルコニウム、及びそれらの組合せから成る群から選択される上記方法。
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
身体流体の流れが通るための内腔を設けるための内腔内補綴具であって、
身体流体の流れが通るための内腔を形成する移植片材を備えている管状移植片と、
移植片材に連結されて移植片材を支持するための少なくとも１つの環状支持部材と、を備えており、
前記移植片材は、第１移植片材と、この第１移植片材に取付けられた第２移植片材の少なくとも１つの部分とを備えており、前記第２移植片材は、前記第１移植片材とは異なっており、前記補綴具はより小さい湾曲部分を構成するために湾曲するように構成された半円筒形部分を備えており、前記第２移植片材の少なくとも１つの部分は、前記半円筒形部分に位置決めされており、前記第２移植片材は、そして身体流体の流れのための内腔を妨げることなしに前記より小さい湾曲部分を形成するために湾曲するように構成されている、内腔内補綴具。
【請求項２】
前記第２移植片材は波状材である、請求項１に記載の内腔内補綴具。
【請求項３】
前記管状移植片は非支持部分を備えており、この非支持部分は前記少なくとも１つの部分の一部よりなる、請求項１に記載の内腔内補綴具。
【請求項４】
前記少なくとも１つの部分は複数の部分よりなる、請求項１に記載の内腔内補綴具。
【請求項５】
前記移植片材の前記少なくとも１つの部分は半円筒形部分に位置決めされた複数の部分よりなる、請求項１に記載の内腔内補綴具。
【請求項６】
補綴具が展開されているとき、造影装置を使用して補綴具の角方向位置を確認するために前記少なくとも１つの部分に対する所定の位置で補綴具に取付けられたマーカーを更に備えている、請求項１に記載の内腔内補綴具。
【請求項７】
身体流体の流れが通るための内腔を設けるための内腔内補綴具手段であって、
内腔を形成するための管状移植片手段を備えており、この管状移植片手段は、補綴具手段を、これが内腔を妨げないほうに展開される身体内腔の生体構造に一致するように湾曲させるための移植片材手段を備えており、前記移植片手段は、前記補綴具手段の一部の長さを変化させるための手段を備えている、内腔内補綴具手段。
【請求項８】
前記移植片材手段は、内腔を設けるための主手段と、移植片手段を湾曲させるための第２手段とを備えており、該第２手段は前記長さを変化させるための手段よりなる、請求項７に記載の内腔内補綴具手段。
【請求項９】
前記第２手段は、補綴具手段を、これが展開される身体内腔の生体構造に一致するように拡張するか或は収縮するための拡張可能な手段を備えている、請求項８に記載の内腔内補綴具手段。
【請求項１０】
長さを変化させるための手段は補綴具手段を湾曲させるために長さを変化させるための手段よりなる、請求項９に記載の内腔内補綴具手段。
【請求項１１】
長さを変化させるための手段は補綴具手段をまっすぐにするための長さを変化させるための手段よりなる、請求項１０に記載の内腔内補綴具手段。
【請求項１２】
前記移植片手段は血管の湾曲に対応するように所望のより小さい湾曲手段を設けるべき位置で湾曲するための区分手段を備えている、請求項７に記載の内腔内補綴具手段。
【請求項１３】
補綴具手段の位置に情報を与えるためのマーカー手段を更に備えている、請求項７に記載の内腔内補綴具手段。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
500ナノメートル以下の1つ又は2つ以上のナノ粒子、前記1つ又は2つ以上のナノ粒子の表面上の界面活性剤及び前記ナノ粒子を受け入れることができるインプラント表面を含む、インプラント表面をコーティングするためのナノ粒子調製物。
【請求項２】
500ナノメートル以下のナノ粒子を選択する工程、前記1つ又は2つ以上のナノ粒子の表面に界面活性剤を添加する工程及びナノ粒子でインプラントの表面をコーティングする工程を含む、インプラント表面をコーティングするナノ粒子を調製する方法であって、ナノ粒子が、タンパク質の折畳み解除の低下、タンパク質変性の低下、炎症性細胞の蓄積防止、線維細胞の蓄積防止、線維組織の形成防止、血栓症又は装置を中心とする感染の防止、細胞付着部位数の減少、有害な生物学的反応の低下及び前記の組合せから成る群から選択される特性を前記インプラント表面で促進させる、前記ナノ粒子の調製方法。
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
外径を持ち、表面領域を有する先細りの端部を持つ光ファイバと、
前記光ファイバとは異なる材料からなる端部材料であって、前記端部材料は前記光ファイバの先細り端部に接続され、前記先細り端部の前方に配置されるとともに、前記表面領域に接着されており、前記光ファイバの外径と実質的に同じ外径を持つ端部材料と、
前記光ファイバを囲み、前記光ファイバと前記端部材料が接続される領域においてプローブを被覆するクラッドとを備え、
前記端部材料は複数の光散乱素子を含むか、または固有光散乱素子を有する、光ファイバプローブ。
【請求項２】
前記クラッドはポリマークラッドである、請求項１記載の光ファイバプローブ。
【請求項３】
前記端部材料は少なくとも一つの光散乱素子を有する、請求項１記載の光ファイバプローブ。
【請求項４】
前記端部材料は光散乱素子を有し、前記光散乱素子はＴｉＯ２を含む、請求項１記載の光ファイバプローブ。
【請求項５】
前記光ファイバの先細り端部は円錐形である、請求項１記載の光ファイバプローブ。
【請求項６】
前記端部材料は前記先細り端部とともに同軸外向きに延びる、請求項１記載の光ファイバプローブ。
【請求項７】
前記端部材料は丸められた端部を有する、請求項１記載の光ファイバプローブ。
【請求項８】
前記端部材料は前記光ファイバの先細り端部の少なくとも一部分を囲む、請求項１記載の光ファイバプローブ。
【請求項９】
（１）前記ポリマークラッドは前記光ファイバと前記端部材料とが接続される領域においてプローブを被覆し、
（２）前記端部材料はＴｉＯ２を含む光散乱素子を含み、
（３）前記光ファイバの先細り端部は円錐形であり、
（４）前記端部材料は前記先細り端部に相対的に同軸外向きに延び、
（５）前記端部材料は丸められた端部を有し、
（６）前記端部材料は前記光ファイバの先細り端部の少なくとも一部分を囲む、
ことを特徴とする請求項１記載の光ファイバプローブ。
【請求項１０】
外径を持ち、先細り端部を持ち、クラッドで囲まれた光ファイバと、
前記光ファイバの材料と異なる材料からなる端部材料であって、前記端部材料は前記光ファイバの先細り端部に接続され、前記先細り端部の前方に配置され、前記光ファイバの先細り端部と同軸の外径を持ち、前記端部材料の外径は前記先細り端部を囲むとともに、前記クラッドの外径よりも細い、端部材料とを備える、光ファイバプローブ。
【請求項１１】
前記クラッドは、前記光ファイバと前記端部材料とが接続される領域に少なくとも近接して前記プローブを被覆する、請求項１０記載の光ファイバプローブ。
【請求項１２】
前記端部材料は複数の光散乱素子を含むか、または固有光散乱素子を有する、請求項１０記載の光ファイバプローブ。
【請求項１３】
前記端部材料はＴｉＯ２を含む光散乱素子を有する、請求項１０記載の光ファイバプローブ。
【請求項１４】
前記光ファイバの先細り端部は円錐形であり、前記端部材料は前記先細り端部とともに同軸外向きに延びるとともに、前記光ファイバの先細り端部を囲む、請求項１０記載の光ファイバプローブ。
【請求項１５】
前記光ファイバから前記端部材料に移行する際に定常的な外径が維持される、請求項１０記載の光ファイバプローブ。
【請求項１６】
外径を持ち、先細り端部を持ち、クラッドで囲まれた光ファイバと、
前記光ファイバの材料と異なる材料からなる端部材料であって、
（１）前記端部材料は前記光ファイバの先細り端部に接続され、前記先細り端部の前方に配置され、
（２）前記端部材料は前記光ファイバの先細り端部と同軸の外径を持ち、
（３）前記端部材料の外径は前記先細り端部を囲むとともに、前記クラッドの外径よりも細く、
（４）前記端部材料の外径は前記光ファイバの外径と等しく、
（５）前記光ファイバから前記端部材料に移行する際に定常的な外径が維持され、
（６）前記端部材料は前記先細り端部に接続されるとともに、前記先細り端部から外向きに延び、
（７）先端部が露出し、前記端部材料によって散乱された光を前記先細り端部から横方向に拡散させる、ところの端部材料とを備える、光ファイバプローブ。
【請求項１７】
前記クラッドは、前記光ファイバと前記端部材料とが接続される領域に少なくとも近接して前記プローブを被覆する、請求項１６記載の光ファイバプローブ。
【請求項１８】
前記光ファイバの先細り端部は円錐形である、請求項１６記載の光ファイバプローブ。
【請求項１９】
前記端部材料の外径は前記光ファイバの外径と実質的に同じである、請求項１６記載の光ファイバプローブ。
【請求項２０】
光ファイバプローブを形成する方法であって、
外径を持ち、被覆で囲まれており、端部を有する光ファイバを供給するステップと、
前記光ファイバの端部に充填材料を供給して、当該充填材料が前記光ファイバの前記外径と実質的に同じ外径を持つようにするステップとを含む方法。
【請求項２１】
前記光ファイバを供給するステップは、前記光ファイバの端部がクラッド内に引っ込んで中空部を形成するように前記光ファイバの端部を加工するステップを含む、請求項２０記載の方法。
【請求項２２】
前記充填材料を供給するステップは、前記充填材料が少なくとも部分的に前記光ファイバの前に位置するように前記中空部に前記充填材料を供給するステップを含む、請求項２１記載の方法。
【請求項２３】
前記中空部への前記充填材料の供給は以下のステップを含む、請求項２２記載の方法。
ｉ）前記被覆にオリフィスを設けて、前記中空部へのアクセスを得るステップ
ｉｉ）相対的に粘性液体である前記充填材料を前記オリフィスをとおして真空圧下で前記中空部へ引き込むことにより、充填材料を前記中空部に供給するステップ
【請求項２４】
前記充填材料の前記外径が前記光ファイバの前記外径と実質的に同じになるようにしながら、前記充填材料から前記被覆の少なくとも一部を剥がすステップをさらに含む、請求項２０乃至２３いずれか１項記載の方法。
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
内部と外部とを画定するフレキシブルな再シール可能漏出防止容器の封入手段であって、
長手方向に延在する雄封入要素であって、ベース部分と、該ベース部分から延出する一対の離間ウェブとを含み、該ウェブがそれぞれ前記雄フック部分を含むとともに該雄フック部分を終端とし、前記ベース部分、前記ウェブ及び前記雄フック部分が一体的なものとなるように形成され、該前記雄フック部分が互いに反対向きである、雄封入要素と、
所定の長さにわたって前記雄封入要素と係合する、長手方向に延在する雌封入要素であって、ベース部分と、該ベース部分から延出する一対の離間ウェブとを含み、該ウェブがそれぞれ前記雌フック部分を含むとともに該雌フック部分を終端とし、前記ベース部分、前記ウェブ及び前記雌フック部分が一体的なものとなるように形成され、前記雌フック部分が相互に接近するように延出し、該雌フック部分が、該封入手段が完全に閉塞された時に前記雄フック部分と嵌合および当接する、雌封入要素と、
前記封入要素の少なくとも一方に装着されて、前記封入手段が完全に閉塞された時に他の封入要素の前記フック部分の少なくとも一つへ荷重を印加する少なくとも一つのスプリング部材と、
を包含する封入手段。
【請求項２】
前記少なくとも一つのスプリング部材が前記雌封入要素の前記ベース部分に一体的に装着されるとともに、該少なくとも一つのスプリング部材が前記雄フック部分の少なくとも一つに作用する、請求項１の封入手段。
【請求項３】
前記スプリング部材が前記一対の雌フック部分の間に装着される、請求項２の封入手段。
【請求項４】
前記少なくとも一つのスプリング部材が前記雄封入要素の前記ベース部分に一体的に装着されるとともに、該少なくとも一つのスプリング部材が前記雌フック部分の少なくとも一つに作用する、請求項１の封入手段。
【請求項５】
前記ベース部分に一体的に装着されるとともに該ベース部分から延出する、離間して平行に配置された一対のガイドウィングを前記雄封入要素が含み、該ガイドウィングが、前記封入手段の閉塞中に前記雌フック部分と前記雌封入要素のウェブとを案内する、請求項１の封入手段。
【請求項６】
完全閉塞位置にある時に前記ガイドウィングが前記雌封入要素の前記ウェブに作用する、請求項５の封入手段。
【請求項７】
完全閉塞位置にある時に前記ガイドウィングが前記雌封入要素の前記雌フック部分に作用する、請求項５の封入手段。
【請求項８】
前記少なくとも一つのスプリング部材が、前記ガイドウィングと、前記容器の前記外部に隣接する前記雄封入要素のウェブとの間において該雄封入要素の前記ベース部分に装着されるとともに、前記雌フック部分の少なくとも一つに作用する、請求項５の封入手段。
【請求項９】
前記少なくとも一つのスプリング部材が、前記ガイドウィングと、前記容器の前記内部に隣接する前記雄封入要素のウェブとの間において該雄封入要素の前記ベース部分に装着されるとともに、前記雌フック部分の少なくとも一つに作用する、請求項５の封入手段
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
プロダクトの滴を凍結してペレットを形成する工程、ペレットを凍結乾燥する工程、凍結乾燥したペレットをアッセイする工程および凍結乾燥したペレットをコンテナに充填する工程を含んで成る凍結乾燥プロダクトのコンテナの製造方法。
【請求項２】
無菌凍結乾燥ペレットの形態の薬学的または生物学的に活性なプロダクトの単一回数投入コンテナであって、該プロダクトの量は、所定の単一回数投入量を１０％未満しか超えない単一回数投入コンテナ。
【手続補正２】
【補正対象書類名】明細書
【補正対象項目名】００５９
【補正方法】変更
【補正の内容】
【００５９】
また、このバイアルは、それぞれ薬学的または生物学的に活性な複数の成分を、それぞれ薬学的または生物学的に活性な複数の（例えば種々に乾燥された）成分の薬剤ペレットを含む配合物を充填することができる。凍結乾燥したペレットの安定性のために、異なって乾燥した薬剤の混合物を各バイアルに充填して、多目的薬剤／薬品／ワクチンを得ることができる。
本発明の主な態様を以下に示す。
１．
プロダクトの滴を凍結してペレットを形成する工程、ペレットを凍結乾燥する工程、凍結乾燥したペレットをアッセイする工程および凍結乾燥したペレットをコンテナに充填する工程を含んで成る凍結乾燥プロダクトのコンテナの製造方法。
２．
ペレットを凍結乾燥する工程と凍結乾燥したペレットをアッセイする工程との間に、凍結乾燥したペレットを保存して均一化する上記１に記載の製造方法。
３．
該滴を凍結する工程は、低温ガス中を向流で滴を通すことによって行なう上記１に記載の製造方法。
４．
該プロダクトは、１またはそれ以上の薬学的または生物学的に活性な成分を含んで成り、目標投入量は、該１またはそれ以上の該薬学的または生物学的に活性な成分に対して規定され、該アッセイは、該凍結乾燥ペレット中の該１またはそれ以上の薬学的または生物学的に活性な成分の活性分含有を測定し、該目標投入量に等しい、または目標投入量を１０％未満しか越えない投入量となる該凍結乾燥プロダクトの量でコンテナを充填する上記１に記載の製造方法。
５．
無菌凍結乾燥ペレットの形態の薬学的または生物学的に活性なプロダクトの単一回数投入コンテナであって、該プロダクトの量は、所定の単一回数投入量を１０％未満しか超えない単一回数投入コンテナ。
６．
該プロダクトは、複数の薬学的または生物学的に活性な成分を含んで成る配合物である上記５に記載の単一回数投入コンテナ。
【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
１，２−ジオールまたは１，３−ジオール構造を有する単位を含むポリマー主鎖および架橋可能な基を有する少なくとも２つの側鎖を有するマクロマーと両親媒性コモノマーとから形成されたヒドロゲルを含む脊椎椎間板髄核プロテーゼ。
【請求項２】
ヒドロゲルが、脊椎椎間板核キャビティの形状を有する、請求項１に記載のプロテーゼ。
【請求項３】
ヒドロゲルが、約１０００〜６０００ニュートンの降伏荷重を有する、請求項１に記載のプロテーゼ。
【請求項４】
ヒドロゲルが、１０〜３０％歪で約３メガパスカルの圧縮弾性率を有する、請求項１に記載のプロテーゼ。
【請求項５】
コモノマーが、ジアセトンアクリルアミド（ＤＡＡ）、Ｎ−ビニルカプロラクタム、Ｎ−（ブトキシメチル）アクリルアミド、Ｎ−アクロイルモルホリン、クロトンアミド、Ｎ，Ｎ−ジメチルアクリルアミド、Ｎ−オクタデシルアクリルアミドおよびアクリルアミドからなる群より選ばれる、請求項１に記載のプロテーゼ。
【請求項６】
コモノマーが、約４０〜６０重量％の濃度のＤＡＡである、請求項１に記載のプロテーゼ。
【請求項７】
マクロマーが、約１４，０００の分子量を有するポリ（ビニルアルコール）主鎖を有し、そして架橋可能な基を有する側鎖がＰＶＡ当たり約６〜２１個の架橋剤の量のＮ−アクリルアミドアセトアルデヒドジメチルアセタール（ＮＡＡＡＤＡ）である、請求項１に記載のプロテーゼ。
【請求項８】
ＰＶＡ主鎖が、疎水性変性剤または親水性変性剤によりさらに変性される、請求項１に記載のプロテーゼ。
【請求項９】
疎水性変性剤が、ＰＶＡグラム当たり約０〜４ミリ当量（meq／ｇ）の量で存在するアセトアルデヒドジエチルアセタール（ＡＡＤＡ）である、請求項８に記載のプロテーゼ。
【請求項１０】
１，２−ジオールまたは１，３−ジオール構造を有する単位を含むポリマー主鎖および架橋可能な基を有する少なくとも２つの側鎖を有するマクロマーと両親媒性コモノマーとから形成されたヒドロゲルを、脊椎椎間板核キャビティに移植することを含む、脊椎椎間板髄核をプロテーゼで置換または増強するための方法。
【請求項１１】
プロテーゼをその場で形成する、請求項１０に記載の方法。
【請求項１２】
プロテーゼを予め形成する、請求項１０に記載の方法。
【請求項１３】
プロテーゼを移植する前に、ネイティブな脊椎椎間板髄核を部分的にまたは完全に除去する、請求項１０に記載の方法。
【請求項１４】
脊椎椎間板が環状部分で囲まれた核キャビティを有し、マクロマーおよびコモノマーが溶液中でフリーラジカル架橋開始剤と組み合わされ、脊椎椎間板核キャビティに溶液として注入される、請求項１０に記載の方法。
【請求項１５】
移植する工程が、１８Ｇ針を使用して環状部分を通して溶液を注入することを含む、請求項１４記載の方法。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
硬化してリン酸カルシウム含有製造物になる流動可能な組成物の製造方法であって、該方法が、
（ａ）硬化流体；及び
（ｂ）約８μｍ未満の平均粒径及び狭い粒径分布を持つ第一の粒子状カルシウム及び／又はリン酸反応物を含む乾燥反応物成分を、
該流動可能な材料を生成するのに十分な割合で混合する工程を包含する、方法。
【請求項２】
前記乾燥反応物成分が、前記第一の粒子状カルシウム及び／又はリン酸反応物からなる、請求項１に記載の方法。
【請求項３】
前記乾燥反応物成分が、約１０μｍより大きな平均粒径を持つ第二のカルシウム及び／又はリン酸反応物を含む、請求項１に記載の方法。
【請求項４】
前記乾燥反応物成分における第二のカルシウム及び／又はリン酸反応物に対する前記第一の粒子状カルシウム及び／又はリン酸反応物の割合が約１から約１０の範囲である、請求項３に記載の方法。
【請求項５】
前記第一の粒子状カルシウム及び／又はリン酸反応物がリン酸カルシウム化合物である、請求項１に記載の方法。
【請求項６】
前記リン酸カルシウム化合物のリン酸塩に対するカルシウムの割合が、約１から約２の範囲である、請求項５に記載の方法。
【請求項７】
前記リン酸カルシウム化合物がリン酸三カルシウムである、請求項６に記載の方法。
【請求項８】
前記第一の粒子状カルシウム及び／又はリン酸反応物が約４μｍの平均粒子径を持つ、請求項１に記載の方法。
【請求項９】
前記流動可能な組成物がペーストである、請求項８に記載の方法。
【請求項１０】
前記流動可能な組成物がクレーである、請求項８に記載の方法。
【請求項１１】
前記硬化流体が、可溶性ケイ酸塩の溶液である、請求項１に記載の方法。
【請求項１２】
硬化してリン酸カルシウム含有製造物になるペーストの製造方法であって、該方法が、
（ａ）（ｉ）約４μｍ未満の平均粒径及び約４μｍを超えない標準偏差を持つ粒子状の第一のリン酸カルシウム反応物；及び
（ｉｉ）第二の粒子状カルシウム及び／又はリン酸反応物
を含む乾燥反応物成分；ならびに
（ｂ）硬化流体を、
該ペーストを生成するのに十分な割合で混合する工程を包含する、方法。
【請求項１３】
前記第二のカルシウム及び／又はリン酸反応物が、約９μｍより大きな平均粒子径を持つ、請求項１１に記載の方法。
【請求項１４】
前記第一のリン酸カルシウム反応物のリン酸に対するカルシウムの割合が約１から約２の範囲である、請求項１２に記載の方法。
【請求項１５】
前記第一のリン酸カルシウム反応物がリン酸三カルシウムである、請求項１４に記載の方法。
【請求項１６】
前記第一のリン酸カルシウム反応物が、約３μｍの平均粒径を持つ、請求項１１に記載の方法。
【請求項１７】
硬化流体に対する乾燥反応物の前記割合が、約０．２：１から０．７：１の範囲である、請求項１に記載の方法。
【請求項１８】
前記硬化流体が可溶性ケイ酸塩の溶液である、請求項１１に記載の方法。
【請求項１９】
硬化してリン酸カルシウム含有製造物になる流動可能な組成物であって、前記組成物が請求項１に記載の方法によって製造される、組成物。
【請求項２０】
前記組成物がペーストである、請求項１９に記載の組成物。
【請求項２１】
前記組成物がクレーである、請求項１９に記載の組成物。
【請求項２２】
硬組織欠損を修復するための流動可能な組成物であって、該組成物は、
前記欠損の部位への適用に適切であり、そして硬化してリン酸カルシウム含有製造物になる、組成物であり、該組成物が請求項１に記載の方法によって製造される、組成物。
【請求項２３】
約８μｍ未満の平均粒径及び狭い粒径分布を持つ第一の粒子状カルシウム及び／又はリン酸反応物を含む、乾燥反応物成分
を含むキット。
【請求項２４】
前記キットが、約９μｍより大きな平均粒径を持つ第二のカルシウム及び／又はリン酸反応物を更に含む、請求項２３に記載のキット。
【請求項２５】
乾燥反応物の全重量に対する前記第一の粒子状反応物の重量割合が、約１から約１０の範囲である、請求項２４に記載のキット。
【請求項２６】
前記第一の粒子状カルシウム及び／又はリン酸反応物が、リン酸カルシウム化合物である、請求項２５に記載のキット。
【請求項２７】
前記リン酸カルシウム化合物のリン酸塩に対するカルシウムの割合が、約１から約２の範囲である、請求項２６に記載のキット。
【請求項２８】
前記リン酸カルシウム化合物が、リン酸三カルシウムである、請求項２７に記載のキット。
【請求項２９】
前記第一の粒子状カルシウム及び／又はリン酸反応物が、約４μｍの平均粒径を持つ、請求項２３に記載のキット。
【請求項３０】
前記キットが、硬化流体又はそれを製造するための成分を更に含む、請求項２９に記載のキット。
【請求項３１】
前記硬化流体が、可溶性ケイ酸塩の溶液である、請求項３０に記載のキット。
【請求項３２】
前記キットが、混合成分を更に含む、請求項２３に記載のキット。
【請求項３３】
（ａ）約８μｍ未満の平均粒径及び狭い粒径分布を持つ第一の粒子状カルシウム及び／又はリン酸反応物を含む乾燥反応物成分；及び
（ｂ）硬化流体
を含む、系。
【請求項３４】
前記系が、約９μｍより大きな平均粒径を持つ第二のカルシウム及び／又はリン酸粒子状反応物を更に含む、請求項３３に記載の系。
【請求項３５】
乾燥反応物の全重量に対する前記第一の粒子状反応物の重量割合が、約１から約１０の範囲である、請求項３４に記載の系。
【請求項３６】
前記第一の粒子状カルシウム及び／又はリン酸反応物が、リン酸カルシウム化合物である、請求項３５に記載の系。
【請求項３７】
前記リン酸カルシウム化合物におけるリン酸塩に対するカルシウムの割合が、約１から約２の範囲である、請求項３６に記載の系。
【請求項３８】
前記リン酸カルシウム化合物が、リン酸三カルシウムである、請求項３７に記載の系。
【請求項３９】
前記第一の粒子状カルシウム及び／又はリン酸反応物が、約４μｍの平均粒径を持つ、請求項３３に記載の系。
【請求項４０】
前記硬化流体が、可溶性ケイ酸塩の溶液である、請求項３９に記載の系。
【請求項４１】
前記系が、混合成分を更に含む、請求項３３に記載の系。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
端面及び中ぐりを有するボディ、及び
前記ボディに固着され、前記中ぐりを通過して延びるシャフトであって、その末端領域が前記端面から外に延び、前記末端領域が、第一及び第二の突起を形成する、前記シャフトの末端に沿って延びる軸方向スロットを有し、前記第一及び第二の突起がそれぞれスパイクを有するシャフト
を含むランセット。
【請求項２】
前記第一及び第二の突起を脱着可能に覆う保護キャップをさらに含む、請求項１記載のランセット。
【請求項３】
前記第一及び第二の突起が斜めにカットされて、前記第一及び第二の突起の前記スパイクそれぞれに尖端が形成されている、請求項２記載のランセット。
【請求項４】
前記シャフトがステンレス鋼管材である、請求項１記載のランセット。
【請求項５】
前記シャフトが皮下注射針用管材である、請求項４記載のランセット。
【請求項６】
前記シャフトが紫外線接着剤によって前記中ぐりに固着されている、請求項５記載のランセット。
【請求項７】
前記第一及び第二の突起が滑材でコートされている、請求項５記載のランセット。
【請求項８】
前記シャフトが２５ゲージ〜２９ゲージのサイズの管材から構成されている、請求項５記載のランセット。
【請求項９】
ランセットを製造する方法であって、
シャフトを用意する行為、
前記シャフトの末端に軸方向スロットを形成して、第一の突起及び第二の突起が形成されるようにする行為、
前記第一及び第二の突起を斜めにカットして、前記第一及び第二の突起がそれぞれスパイクを有するようにする行為、
中ぐりを有するボディを用意する行為、及び
前記シャフトを前記ボディに固着して、前記シャフトの前記末端が前記中ぐりから延びるように固着する行為
を含む方法。
【請求項１０】
前記第一及び第二の突起を脱着可能な保護キャップで覆うことをさらに含む、請求項９記載の方法。
【請求項１１】
前記第一及び第二の突起を滑材でコートすることをさらに含む、請求項９記載の方法。
【請求項１２】
端面及び中ぐりを有するボディ、
前記ボディに固着され、前記中ぐりを通過して延びるシャフトであって、その末端領域が前記端面から外に延び、前記末端領域が、第一及び第二の突起を形成する、前記シャフトの末端に沿って延びる軸方向スロットを有し、前記第一及び第二の突起がそれぞれ、皮膚を穿刺して血滴を得ることができるスパイクを有するシャフト、及び
前記第一及び第二の突起を脱着可能に覆う保護キャップ
を含む、血液試験装置で使用するためのランセット。
【請求項１３】
端面及び中ぐりを有するボディ、及び
前記ボディに固着され、前記中ぐりを通過して延びるシャフトであって、第一の端部を第二の端部とで離間した配置で実質的に整合させて有し、前記第一及び第二の端部が斜めにカットされて、前記第一及び第二の端部それぞれにスパイクが形成されているシャフト
を含むランセット。
【請求項１４】
前記第一及び第二の突起を脱着可能に覆う保護キャップをさらに含む、請求項１３記載のランセット。
【請求項１５】
前記シャフトが略Ｕ字形である、請求項１３記載のランセット。
【請求項１６】
ランセットを製造する方法であって、
第一端及び第二端を有するシャフトを用意する行為、
前記シャフトを曲げて前記シャフトの前記第一端と前記シャフトの前記第二端とを離間した配置で整合させる行為、
前記第一端を斜めにカットして前記第一端に第一のスパイクを形成する行為、
前記第二端を斜めにカットして前記第二端に第二のスパイクを形成する行為、
端面を有するボディを用意する行為、及び
前記シャフトを前記ボディに固着して前記第一端及び前記第二端が前記端面から外に延びるようにする行為
を含む方法。
【請求項１７】
前記第一端が前記第二端と実質的に同じ長さになるよう前記第一端をトリミングすることをさらに含む、請求項１６記載の方法。
【請求項１８】
前記第一及び第二のスパイクを脱着可能な保護キャップで覆うことをさらに含む、請求項１６記載の方法。
【請求項１９】
前記第一及び第二のスパイクを滑材でコートすることをさらに含む、請求項１６記載の方法。
【請求項２０】
前記シャフトを曲げる行為中、略Ｕ字形を形成するように前記シャフトを曲げる、請求項１６記載の方法。
【請求項２１】
前記シャフトを前記ボディに固着する行為中、前記ボディを前記シャフトの周囲に成形する、請求項１６記載の方法。
【手続補正２】
【補正対象書類名】明細書
【補正対象項目名】０００７
【補正方法】変更
【補正の内容】
【０００７】
これら及び本発明の数多くの他の利点にしたがって、本発明は、ボディ及びシャフトを含むランセットとして具現化される。ボディは端面と中ぐりとを有する。シャフトはボディに固着され、中ぐりを通過して延びて、シャフトの末端領域がボディの端面から外に延びる。末端領域は、シャフトの末端に沿って延びる軸方向スロットを有して、第一及び第二の突起を形成している。第一及び第二の突起はそれぞれスパイクをその端部に有している。
【手続補正３】
【補正対象書類名】明細書
【補正対象項目名】００１１
【補正方法】変更
【補正の内容】
【００１１】
図面及び好ましい実施態様の詳細な説明
より具体的に図面を参照すると、参照番号１０によって指定される、本発明を具現化する多先端ランセットアセンブリが開示されている。図１に見てとれるように、多先端ランセットアセンブリ１０の一つの実施態様は、プラスチックボディ２０、保護カバー３０及びシャフト５０を含む。図２〜３は、多先端ランセットを形成する、シャフト５０の多数の突起を示し、シャフト５０の末端領域には第一の突起５２及び第二の突起５４が形成されている。
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
安全でリモートなくじ引きゲームロケーションにおいてユーザにメディアを提供するシステムであって、
通信ネットワーク上のリモートロケーションに位置する１つ以上の安全なくじ引きゲーム端末であって、該１つ以上の安全なくじ引きゲーム端末の各々はユーザが運によるくじ引きゲームにおいてプレイおよび賭けをすることを可能にする、ゲーム端末と、
該通信ネットワーク上の少なくとも１つのメディアサーバであって、該メディアサーバは該１つ以上の安全なくじ引きゲーム端末に対する使用可能なメディアを決定し、かつライブ映像をコード化することが可能である、メディアサーバと、
少なくとも１つのリアルタイム第三者映像供給を含む、メディアを該メディアサーバに供給する複数のメディアフィードであって、該メディアサーバは、該コード化されたライブ映像および適切なメディアコンテンツを、スケジューリングデータベースに従って、ゲームプレイの間に、該メディアフィードから該１つ以上の安全なくじ引きゲーム端末に、選択的に配信し、該データベースは様々なゲーム端末を区別することにより、様々な組み合わせのメディアが同時に様々なゲーム端末に送られる、メディアフィードと、
少なくとも１つのコールセンタメディアコントローラであって、該リモートゲーム端末と、該ゲーム端末におけるプレーヤのリアルタイム支援のための中央コールセンタサービスロケーションとの間のリアルタイム映像会議のために構成されている、コールセンタメディアコントローラと
を備えている、システム。
【請求項２】
前記メディアフィードのうちの少なくとも１つは格納されたメディアである、請求項１に記載のシステム。
【請求項３】
前記コールセンタメディアコントローラは、前記ネットワーク上に支援サーバをさらに備え、前記１つ以上の安全なゲーム端末に対して要求されたサポートを選択的に提供する、請求項１に記載のシステム。
【請求項４】
前記支援サーバは、電話コールセンタである、請求項３に記載のシステム。
【請求項５】
前記システムは、前記通信ネットワーク上でインターネットプロトコル（ＩＰ）を利用する、請求項１に記載のシステム。
【請求項６】
前記運によるくじ引きゲームはスポーツイベントである、請求項１に記載のシステム。
【請求項７】
安全なリモートくじ引きゲームロケーションにおいてユーザにメディアを提供する方法であって、
通信ネットワーク上のリモートロケーションに位置する１つ以上の安全なくじ引きゲーム端末において運によるくじ引きゲームをホストするステップであって、該１つ以上のくじ引き端末の各々は、ユーザが該運によるくじ引きゲームにおいてプレイおよび賭けをすることを可能にする、ステップと、
１つ以上のメディアフィードからメディアサーバにメディアコンテンツを供給するステップであって、該メディアコンテンツは、少なくとも１つのリアルタイム第三者映像供給を含み、該メディアサーバは１つ以上の安全なくじ引きゲーム端末に対して使用可能なメディアを決定し、かつライブ映像をコード化可能である、ステップと、
該コード化されたライブ映像および適切なメディアコンテンツを、スケジューリングデータベースに従って、該運によるくじ引きゲームのプレイの間に、該メディアサーバから該１つ以上の安全なくじ引きゲーム端末まで配信するステップであって、該データベースは様々なゲーム端末を区別することにより、様々な組み合わせのメディアが同時に様々なゲーム端末に送られる、ステップと、
コールセンタメディアコントローラを用いて、該リモートゲーム端末と、該ゲーム端末におけるプレーヤへのリアルタイムの支援のための中央コールセンタサービスロケーションとの間のリアルタイム映像会議を行うステップと
を包含する、方法。
【請求項８】
前記メディアコンテンツを供給するステップおよび前記適切なメディアコンテンツを配信するステップは、格納されたメディアを供給および配信するステップを含む、請求項７に記載の方法。
【請求項９】
前記ネットワーク上の支援サーバから、前記コールセンタメディアコントローラを介して前記１つ以上の安全なくじ引きゲーム端末までサポートを提供するステップをさらに包含する、請求項７に記載の方法。
【請求項１０】
前記支援サーバは、電話コールセンタであり、前記サポートを提供するステップは、電話による支援を提供するステップである、請求項９に記載の方法。
【請求項１１】
前記運によるくじ引きゲームをホストするステップは、スポーツイベントに関連するデータをリレーする、請求項７に記載の方法。
【請求項１２】
安全なリモートゲームロケーションにおいてユーザにメディアを提供するシステムであって、
通信ネットワーク上のリモートロケーションに位置する少なくとも１つのくじ引きゲーム手段であって、該くじ引きゲーム手段は、ユーザが運によるくじ引きゲームにおいてプレイおよび賭けをすることを可能にする、手段と、
該ネットワーク上の少なくとも１つのメディア提供手段であって、該メディア提供手段は、ライブ映像をコード化するために該少なくとも１つのくじ引きゲーム手段に対する使用可能なメディアを決定する、手段と、
メディアコンテンツを該メディア提供手段に選択的に供給する複数のメディア供給手段であって、該メディアコンテンツはリアルタイム第三者映像供給を含み、該少なくとも１つのメディア提供手段は、該ライブ映像をコード化し、選択的に、スケジューリングデータベースに従って適切なメディアコンテンツを該メディア供給手段から該少なくとも１つのくじ引きゲーム手段まで配信し、該データベースは様々なゲーム端末を区別することによって、様々な組み合わせのメディアが様々なゲーム端末に同時に送られる、手段と、
該リモートゲーム端末と、該ゲーム端末におけるプレーヤに対するリアルタイム支援のための中央コールセンタサービスロケーションとの間でリアルタイム映像会議を行う手段と
を備える、システム。